(57)【要約】【課題】デジタル放送における視聴者の視聴登録によって構築されるデータベースの情報を利用して、視聴者の次の番組視聴を誘引することを可能にするデジタルデータ放送コンテンツの視聴管理方法及びデジタル放送システムを提供すること。【解決手段】１セグなどのＢＭＬデータ放送コンテンツの視聴に際して、放送局サーバに視聴データベースを設けて、ここに番組ＩＤとユーザＩＤとを関係付けた視聴ＩＤを登録しておく。放送後は、番組ＩＤのユーザＩＤに基づいてメーリングリストを生成し、視聴後も視聴者同士がコミュニケーションが図れる場を提供することにより、次回の放送時の視聴を誘引する。【選択図】図１
2007281736.tif 000002
【特許請求の範囲】
【請求項１】
デジタルデータ放送コンテンツを配信する放送局と、前記放送局からのデジタルデータ放送コンテンツを受信して再生する受信端末装置と、前記受信端末装置と通信網を介して接続される放送局サーバと、から構成されるデジタル放送システムにおいてデジタルデータ放送コンテンツの視聴を管理する視聴管理方法であって、
前記受信端末装置において、自装置内の記憶手段に設けられたレジスタを参照して、視聴情報を前記放送局サーバに送信済みか否かを判定するステップと、
前記視聴情報を送信済みのときはデジタルデータ放送コンテンツを表示するステップと、
前記視聴情報を未送信のときは自装置内の視聴ＩＤ記憶手段を参照して、当該デジタルデータ放送コンテンツに対するユーザの視聴ＩＤが登録されているか否かを判定するステップと、
視聴ＩＤが登録されている判定したときは、前記放送局サーバに対して視聴要求信号を送信するステップと、
前記放送局サーバにおいて、前記視聴要求信号を受信すると、視聴データベースの該当ユーザの当該デジタルデータ放送コンテンツに対する視聴フラグをセットし、視聴許可信号を端末装置に送信するステップと、
前記受信端末装置において、前記視聴許可信号を受信してデジタルデータ放送コンテンツを表示するステップと、
前記視聴ＩＤ記憶手段を参照して視聴ＩＤが登録されていないと判定したときは、前記放送局サーバに対して視聴ＩＤ要求信号を送信するステップと、
前記放送局サーバにおいて、前記視聴ＩＤ要求信号を受信すると、視聴データベースに番組ＩＤとユーザＩＤとからなる視聴ＩＤを登録し、該視聴ＩＤを前記受信端末装置に送信するステップと、
前記受信端末装置において、前記視聴ＩＤを受信し、当該視聴ＩＤを前記視聴ＩＤ記憶手段に記憶するとともに、デジタルデータ放送コンテンツを表示するステップと、からなるデジタルデータ放送コンテンツの視聴管理方法。
【請求項２】
前記視聴データベースには、少なくとも番組ＩＤとユーザＩＤとからなる視聴ＩＤと、メールアドレスと、視聴フラグとが対応付けて登録されており、
前記放送局サーバにおいて、視聴フラグがセットされたユーザＩＤに対応付けられたメールアドレスを宛先として同報的に当該番組ＩＤに対応する情報を電子メールで送信するステップを更に実行する請求項１記載のデジタルデータ放送コンテンツの視聴管理方法。
【請求項３】
前記視聴データベースの視聴フラグは、前記番組ＩＤに対応する次回の放送時に再設定されるようになっており、視聴フラグが再設定されなかったユーザＩＤには前記電子メールが送信されない請求項２記載のデジタルデータ放送コンテンツの視聴管理方法。
【請求項４】
前記視聴データベースには、少なくとも番組ＩＤと、ユーザＩＤと、メールアドレスと、視聴フラグとが対応付けて登録されており、
前記放送局サーバにおいて、前記視聴フラグがセットされたユーザＩＤに対して懸賞の抽選を実行し、抽選結果の当選・落選情報を前記メールアドレスを宛先とした電子メールを送信するステップを実行する請求項１記載のデジタルデータ放送コンテンツの視聴管理方法。
【請求項５】
デジタルデータ放送コンテンツを配信する放送局と、前記放送局からのデジタルデータ放送コンテンツを受信して再生する受信端末装置と、前記受信端末装置と通信網を介して接続される放送局サーバと、から構成されるデジタル放送システムであって、
前記受信端末装置は、
視聴情報を記憶するレジスタを有する記憶手段と、
視聴ＩＤを記憶する視聴ＩＤ記憶手段と、
デジタルデータ放送コンテンツを表示する表示手段と、
前記通信網を介して前記放送局サーバとの間で通信を行う通信手段と、
前記レジスタを参照して視聴情報を前記放送局サーバに送信済みか否かを判定し、送信済みのときはデジタルデータ放送コンテンツを前記表示手段に表示し、未送信のときは前記視聴ＩＤ記憶手段を参照して、当該デジタルデータ放送コンテンツに対するユーザの視聴ＩＤが登録されているか否かを判定し、視聴ＩＤが登録されていないときは、前記放送局サーバに対して視聴要求信号を前記通信手段により送信する視聴管理手段と、を備え、
前記放送局サーバは、
前記通信網を介して前記受信端末装置との間で通信を行う通信手段と、
前記受信端末装置における前記デジタルデータ放送コンテンツの視聴を管理する管理情報を登録する視聴データベースを記憶する視聴情報記憶手段と、
前記視聴要求信号を受信すると、前記視聴データベースの該当ユーザの当該デジタルデータ放送コンテンツに対する視聴フラグをセットし、視聴許可信号を前記受信端末装置に送信する視聴管理手段と、を備え、
前記受信端末装置の前記視聴管理手段は、前記視聴許可信号を受信してデジタルデータ放送コンテンツを前記表示手段に表示し、前記視聴ＩＤ記憶手段を参照して視聴ＩＤが登録されていないときは、前記放送局サーバに対して視聴ＩＤ要求信号を送信し、
前記放送局サーバの視聴管理手段は、前記視聴ＩＤ要求信号を受信すると、前記視聴データベースに番組ＩＤとユーザＩＤとからなる視聴ＩＤを登録し、該視聴ＩＤを前記受信端末装置に送信し、
前記受信端末装置の前記視聴管理手段は、前記視聴ＩＤを受信し、当該視聴ＩＤを前記視聴ＩＤ記憶手段に記憶するとともに、デジタルデータ放送コンテンツを表示するデジタル放送システム。
【発明の詳細な説明】
【技術分野】
【０００１】
本発明は、デジタルデータ放送コンテンツの視聴管理方法に関し、特に、受信端末装置で受信されるデジタルデータ放送コンテンツの視聴状況を管理する視聴管理方法、及びその視聴管理方法を適用したデジタル放送システムに関する。
【背景技術】
【０００２】
近時、ＢＭＬ（Broadcasting Markup Language）規格の策定に伴い、デジタル化が進むテレビ放送では、ＢＭＬ技術を利用して視聴者に対して双方向性サービスや他の通信ネットワークを利用したサービスを提供することが可能になり、例えば、放送コンテンツ毎に視聴登録や課金等のサービスを提供することが可能になる。特に、通信機能を持つ携帯端末における受信が想定されているデジタル放送である１セグ放送により、このようなサービスは、今後、利用が拡大することが期待されている。このようなサービスを実現するためには、放送局は視聴データベースやユーザデータベース等を管理するネットワークサーバを用意する必要があり、また、視聴者情報を管理するユーザデータベースにはユーザＩＤや視聴ＩＤ等を登録し、ネットワークサーバから視聴者に対して視聴ＩＤを発行する等のシステム上の整備が必要となる。
【０００３】
ところで、上記視聴データベースでは、視聴者毎に視聴した番組ＩＤ等の視聴履歴を管理することにより、その視聴履歴を視聴者毎の課金管理に利用はできるものの、視聴者が友人等の他のユーザに対して番組を紹介する等して、ユーザ間での番組視聴への動機付けを行うインセンティブを与えるためには利用されておらず、いわゆる視聴者の囲い込みには役立てられていなかった。
【０００４】
この点について、例えば、特許文献１に記載されたテレビ放送を利用したスタンプサービスシステムでは、受信機のメモリに視聴中の番組ＩＤを記録したスタンプマークを記憶させ、スタンプマークが一定数貯まった時に、視聴者にプレゼントへの応募資格を付与するサービスが提案されている。
【特許文献１】特開２００２−３２５２４４号公報
【発明の開示】
【発明が解決しようとする課題】
【０００５】
しかしながら、上記従来のスタンプサービスでは、単に視聴記録を残しておき、それが一定数に達するとプレゼントに応募できるというサービスを提供するだけであり、商店街等で従来から行われているサービスをテレビ放送に対して転用したものであり、視聴データベースに記録された視聴履歴は視聴者の囲い込みには利用されていない。
【０００６】
すなわち、従来のデジタル放送に対するサービス提案は、従来から有るサービスをテレビ放送に単に転用するだけのものであり、双方向性を利用して視聴データベースに蓄積される視聴履歴は視聴率の向上には利用されていない。
【０００７】
そこで、本発明は、このような点に鑑みてなされたものであり、デジタル放送における視聴者の視聴登録によって構築されるデータベースの情報を利用して、視聴者の次の番組視聴を誘引することを可能にするデジタルデータ放送コンテンツの視聴管理方法及びデジタル放送システムを提供することを目的とする。
【課題を解決するための手段】
【０００８】
本発明のデジタルデータ放送コンテンツの視聴管理方法は、デジタルデータ放送コンテンツを配信する放送局と、前記放送局からのデジタルデータ放送コンテンツを受信して再生する受信端末装置と、前記受信端末装置と通信網を介して接続される放送局サーバと、から構成されるデジタル放送システムにおいてデジタルデータ放送コンテンツの視聴を管理する視聴管理方法であって、前記受信端末装置において、自装置内の記憶手段に設けられたレジスタを参照して、視聴情報を前記放送局サーバに送信済みか否かを判定するステップと、前記視聴情報を送信済みのときはデジタルデータ放送コンテンツを表示するステップと、前記視聴情報を未送信のときは自装置内の視聴ＩＤ記憶手段を参照して、当該デジタルデータ放送コンテンツに対するユーザの視聴ＩＤが登録されているか否かを判定するステップと、視聴ＩＤが登録されている判定したときは、前記放送局サーバに対して視聴要求信号を送信するステップと、前記放送局サーバにおいて、前記視聴要求信号を受信すると、視聴データベースの該当ユーザの当該デジタルデータ放送コンテンツに対する視聴フラグをセットし、視聴許可信号を端末装置に送信するステップと、前記受信端末装置において、前記視聴許可信号を受信してデジタルデータ放送コンテンツを表示するステップと、前記視聴ＩＤ記憶手段を参照して視聴ＩＤが登録されていないと判定したときは、前記放送局サーバに対して視聴ＩＤ要求信号を送信するステップと、前記放送局サーバにおいて、前記視聴ＩＤ要求信号を受信すると、視聴データベースに番組ＩＤとユーザＩＤとからなる視聴ＩＤを登録し、該視聴ＩＤを前記受信端末装置に送信するステップと、前記受信端末装置において、前記視聴ＩＤを受信し、当該視聴ＩＤを前記視聴ＩＤ記憶手段に記憶するとともに、デジタルデータ放送コンテンツを表示するステップと、からなる。
【０００９】
この方法によれば、放送局サーバの視聴データベースには、番組ＩＤとユーザＩＤとからなる視聴データベースが構築されるため、この視聴データベースに登録されたユーザに対して番組ＩＤに基づいたスポンサーの広告情報を電子メール等で配信することが可能となり、番組のスポンサー効果を高めることができる。
【００１０】
また、本発明のデジタルデータ放送コンテンツの視聴管理方法は、請求項１記載のデジタルデータ放送コンテンツの視聴管理方法において、前記視聴データベースには、少なくとも番組ＩＤとユーザＩＤとからなる視聴ＩＤと、メールアドレスと、視聴フラグとが対応付けて登録されており、前記放送局サーバにおいて、視聴フラグがセットされたユーザＩＤに対応付けられたメールアドレスを宛先として同報的に当該番組ＩＤに対応する情報を電子メールで送信するステップと、からなる。
【００１１】
この方法によれば、当該番組を視聴した数人単位のユーザ間でメーリングリスト（同報メール）が設定されるため、当該番組の放送後においても、視聴者間でメーリングリストを使った情報交換が可能となり、視聴者の囲い込み及び次放送への視聴の誘引が可能となる。
【００１２】
また、本発明のデジタルデータ放送コンテンツの視聴管理方法は、請求項２記載のデジタルデータ放送コンテンツの視聴管理方法において、前記視聴データベースの視聴フラグは、前記番組ＩＤに対応する次回の放送時に再設定されるようになっており、視聴フラグが再設定されなかったユーザＩＤには前記電子メールが送信されない。
【００１３】
この方法によれば、視聴フラグを次回の放送時に再設定することにより、次回の放送を視聴しなかった視聴者は次回の放送後にメーリングリストから除外されてしまうため、視聴者に対して「次回放送を見なければ」という視聴動機付けを誘引することができる。
【００１４】
また、本発明のデジタルデータ放送コンテンツの視聴管理方法は、請求項１記載のデジタルデータ放送コンテンツの視聴管理方法において、前記視聴データベースには、少なくとも番組ＩＤと、ユーザＩＤと、メールアドレスと、視聴フラグとが対応付けて登録されており、前記放送局サーバにおいて、前記視聴フラグがセットされたユーザＩＤに対して懸賞の抽選を実行し、抽選結果の当選・落選情報を前記メールアドレスを宛先とした電子メールを送信するステップからなる。
【００１５】
この方法によれば、視聴者に対して視聴後の娯楽を提供することができる。
【００１６】
また、本発明のデジタル放送システムは、デジタルデータ放送コンテンツを配信する放送局と、前記放送局からのデジタルデータ放送コンテンツを受信して再生する受信端末装置と、前記受信端末装置と通信網を介して接続される放送局サーバと、から構成されるデジタル放送システムであって、前記受信端末装置は、視聴情報を記憶するレジスタを有する記憶手段と、視聴ＩＤを記憶する視聴ＩＤ記憶手段と、デジタルデータ放送コンテンツを表示する表示手段と、前記通信網を介して前記放送局サーバとの間で通信を行う通信手段と、前記レジスタを参照して視聴情報を前記放送局サーバに送信済みか否かを判定し、送信済みのときはデジタルデータ放送コンテンツを前記表示手段に表示し、未送信のときは前記視聴ＩＤ記憶手段を参照して、当該デジタルデータ放送コンテンツに対するユーザの視聴ＩＤが登録されているか否かを判定し、視聴ＩＤが登録されていないときは、前記放送局サーバに対して視聴要求信号を前記通信手段により送信する視聴管理手段と、を備え、前記放送局サーバは、前記通信網を介して前記受信端末装置との間で通信を行う通信手段と、前記受信端末装置における前記デジタルデータ放送コンテンツの視聴を管理する管理情報を登録する視聴データベースを記憶する視聴情報記憶手段と、前記視聴要求信号を受信すると、前記視聴データベースの該当ユーザの当該デジタルデータ放送コンテンツに対する視聴フラグをセットし、視聴許可信号を前記受信端末装置に送信する視聴管理手段と、を備え、前記受信端末装置の前記視聴管理手段は、前記視聴許可信号を受信してデジタルデータ放送コンテンツを前記表示手段に表示し、前記視聴ＩＤ記憶手段を参照して視聴ＩＤが登録されていないときは、前記放送局サーバに対して視聴ＩＤ要求信号を送信し、前記放送局サーバの視聴管理手段は、前記視聴ＩＤ要求信号を受信すると、前記視聴データベースに番組ＩＤとユーザＩＤとからなる視聴ＩＤを登録し、該視聴ＩＤを前記受信端末装置に送信し、前記受信端末装置の前記視聴管理手段は、前記視聴ＩＤを受信し、当該視聴ＩＤを前記視聴ＩＤ記憶手段に記憶するとともに、デジタルデータ放送コンテンツを表示する。
【００１７】
この構成によれば、放送局サーバの視聴データベースには、番組ＩＤとユーザＩＤとからなる視聴データベースが構築されるため、この視聴データベースに登録されたユーザに対して番組ＩＤに基づいたスポンサーの広告情報を電子メール等で配信することが可能となり、番組のスポンサー効果を高めることができる。
【発明の効果】
【００１８】
本発明によれば、デジタル放送におけるユーザの視聴登録によって構築されるデータベースの情報を利用して、ユーザの次の視聴を誘引することが可能になる。
【発明を実施するための最良の形態】
【００１９】
以下、本発明の実施の形態について図面を参照して詳細に説明する。
【００２０】
図１は、本発明を適用した一実施の形態のデジタル放送システムのシステム構成を示す図である。図１において、デジタル放送システム１０は、テレビ局１００と、デジタル放送受信端末２００と、放送局サーバ３００と、データベース装置４００と、から構成され、デジタル放送受信端末２００と放送局サーバ３００は通信網Ｎを介して接続され、放送局サーバ３００とデータベース装置４００は専用回線Ｌを介して接続される。
【００２１】
テレビ局１００は、各種番組等の番組データと、番組に連動する又は独自のデータ放送を提供するＢＭＬデータを含む放送用データをテレビ放送電波に変調して放送する。デジタル放送受信端末２００は、テレビ局１００から放送されるテレビ放送電波を受信し、そのテレビ放送電波を復調して番組データを再生するとともに、ＢＭＬデータに基づくデータ放送を表示する。また、デジタル放送受信端末２００は、インターネットＮを介して放送局サーバ３００との間で放送用コンテンツの視聴サービスに関する情報を送受信する。放送局サーバ３００は、インターネットＮを介してコンテンツの視聴に関するサービス情報を送受信するとともに、その送受信する各種視聴情報を専用回線Ｌを介してデータベース装置４００との間で授受する。データベース装置４００は、放送局サーバ３００が視聴者登録されたデジタル放送受信端末２００に対して提供する各種サービスに必要となる各種視聴情報をデータベース化して記憶する。
【００２２】
図２は、デジタル放送受信端末２００の構成を示すブロック図である。図２において、デジタル放送受信端末２００は、制御部２０１と、入力部２０２と、表示部２０３と、ＮＶＲＡＭ２０４と、記憶部２０５と、通信部２０６と、デジタル放送受信部２０７と、コンテンツ再生部２０８と、視聴管理部２０９と、を備え、各部はバス２１０を介して接続されている。
【００２３】
制御部２０１は、デジタル放送受信端末２００内部の各部を制御して、デジタル放送受信処理、コンテンツ再生処理、通信処理、視聴判断処理、視聴登録処理及び視聴確認処理等を制御する。
【００２４】
入力部２０２は、テンキー及び各種ファンクションキー等を備え、ユーザによるキー操作に応じたキー入力信号を制御部２０１に出力する。
【００２５】
表示部２０３は、液晶表示パネル等により構成され、制御部２０１から入力される表示制御信号により、コンテンツ再生部２０８から入力されるデジタル放送番組やＢＭＬデータ放送等を表示する。
【００２６】
ＮＶＲＡＭ（Non Volatile RAM）２０４は、不揮発性の半導体メモリであり、放送局サーバ３００から受信する視聴ＩＤ等を記憶する。
【００２７】
記憶部２０５は、制御部２０１において利用されるデジタル放送受信制御プログラム、コンテンツ再生制御プログラム、通信制御プログラム、視聴登録制御プログラムや視聴確認制御プログラム等を記憶すると共に、コンテンツデータ等を記憶する。また、記憶部２０５は、後述する視聴判断処理において、視聴番組に対する視聴情報の放送局サーバ３００への送信有無を判断するためのフラグ情報を一時的に記憶する記憶領域としてＧＲＥＧ又はＵＲＥＧと呼ばれる一時記憶領域を有する。なお、以下の説明では、ＧＲＥＧを利用するものとする。
【００２８】
通信部２０６は、通信網Ｎと接続し、通信網Ｎを介して放送局サーバ３００との間で通信を実行する通信機能を有する。通信部２０６は、放送局サーバ３００から視聴サービスに関する各種情報を受信すると、その受信情報を制御部２０１に出力する。
【００２９】
デジタル放送受信部２０７は、テレビ局１００から放送されるテレビ放送電波を受信して番組データとＢＭＬデータを復調し、復調した番組データをコンテンツ再生部２０８に出力するとともに、ＢＭＬデータを視聴管理部２０９に出力する。
【００３０】
コンテンツ再生部２０８は、制御部２０１から入力されるコンテンツ、デジタル放送番組データやＢＭＬデータ放送データ等をコンテンツ再生プログラムにより再生し、その再生映像を表示部２０３に出力して表示させる。
【００３１】
視聴管理部２０９は、デジタル放送受信部２０７から入力されるＢＭＬデータに基づいて、後述する視聴判断処理、視聴確認処理及び視聴登録処理を実行する。
【００３２】
図３は、放送局サーバ３００の構成を示すブロック図である。図３において、放送局サーバ３００は、制御部３０１と、ＭＬ生成部３０２と、ＭＬサービス部３０３と、ＭＬ終了部３０４と、くじ抽選部３０５と、通信部３０６と、ＤＢＩ／Ｆ部３０７と、視聴管理部３０８と、記憶部３０９と、を備え、各部はバス３１０を介して接続されている。
【００３３】
制御部３０１は、放送局サーバ３００内部の各部を制御して、視聴登録処理、視聴確認処理、通信処理、メーリングリスト作成処理、メーリングリストサービス処理、メーリングリスト終了処理、くじ抽選処理等を制御する。
【００３４】
ＭＬ生成部３０２は、後述するデータベース装置４００に記憶される視聴データベース４０１に記憶された視聴フラグ及び視聴者の属性情報に基づいて、ＭＬ（メーリングリスト）のグループを作成し、このＭＬグループ毎に後述するメーリングリストグループＤＢを作成するとともに、各ＭＬグループの開始と終了を制御するメーリングリスト開始・終了ＤＢを作成するＭＬ生成処理を実行する。
【００３５】
ＭＬサービス部３０３は、ＭＬ生成部３０２により生成されたＭＬグループ毎のメーリングリストに基づいてＭＬ作成告知メールを各ユーザのデジタル放送受信端末２００に送信し、その送信先のデジタル放送受信端末２００から受信するメール閲覧に関する操作信号に対応するＭＬサービス処理を実行する。
【００３６】
ＭＬ終了部３０４は、ＭＬ生成部３０２において作成されたメーリングリスト開始・終了ＤＢに設定されたＭＬ終了時間及びＭＬ終了告知発送時間に基づいて、ＭＬグループの終了時期が迫ったユーザに対してＭＬ終了告知メールを送信するとともに、ＭＬグループを削除するＭＬ終了処理を実行する。
【００３７】
くじ抽選部３０５は、後述するＤＢ装置４００に記憶される視聴データベース４０１に記憶された視聴フラグに基づいてくじを抽選し、その抽選結果に応じた当選者及び非当選者に対する処理を含むくじ抽選処理を実行する。
【００３８】
通信部３０６は、通信網Ｎと接続し、通信網Ｎを介してデジタル放送受信端末２００との間で通信を実行する通信機能を有する。通信部３０６は、デジタル放送受信端末２００から視聴サービスに関する各種視聴情報を受信すると、その受信情報を制御部３０１に出力する。
【００３９】
ＤＢＩ／Ｆ部３０７は、専用回線Ｌと接続し、専用回線Ｌを介してデータベース装置４００との間で上記視聴サービスに関する各種情報を授受する。
【００４０】
視聴管理部３０８は、デジタル放送受信端末２００との間で視聴確認処理及び視聴登録処理を実行する。
【００４１】
記憶部３０９は、制御部２０１において利用される視聴登録制御プログラム、視聴確認制御プログラム、メーリングリスト作成制御プログラム、メーリングリストサービス制御プログラム、メーリングリスト終了制御プログラム、くじ抽選制御プログラム等を記憶する。
【００４２】
次に、図１のＤＢ装置４００に記憶される視聴データベース４０１と番組制御用データベース４０２の各構成について、図４を参照して説明する。図４において、（ａ）は視聴データベース４０１の構成例を示す図、（ｂ）は番組制御用データベース４０２の構成例を示す図である。
【００４３】
視聴データベース４０１では、番組を識別する「番組ＩＤ」と、デジタル放送受信端末２００のユーザを識別する「ユーザＩＤ」と、ユーザの氏名、性別、生年月日等を含む「属性情報１，２」と、ユーザによる直近の番組の視聴状態を示す「視聴フラグ」と、ユーザによる番組の連続視聴回数を示す「連続視聴回数」と、ユーザによる番組の総試聴回数を示す「総視聴回数」と、を対応付けて記録するデータベースである。
【００４４】
「番組ＩＤ」と「ユーザＩＤ」は、上記放送局サーバ３００の視聴登録処理において生成されてデジタル放送受信端末２００のＮＶＲＡＭ２０４に登録される情報である。また、「属性情報１，２」は、上記放送局サーバ３００の視聴登録処理においてデジタル放送受信端末２００から送信されて登録される情報である。
【００４５】
番組制御用データベース４０２は、デジタル放送受信端末２００と放送局サーバ３００との間で実行される視聴確認処理において、番組の視聴登録を受け付ける期間を管理するためのデータベースである。この番組制御用データベース４０２では、「番組ＩＤ」と、「番組名」と、視聴確認を受け付ける開始日及び開始時間を示す「視聴確認受付開始日」及び「視聴確認受付開始時間」と、視聴確認を受け付ける終了日及び終了時間を示す「視聴確認受付終了日」及び「視聴確認受付終了時間」と、を対応付けて記憶する。
【００４６】
次に、図１のデジタル放送システム１０において実行される視聴サービスの概要について、図５を参照して説明する。図５は、デジタル放送システム１０の動作概要を示す図である。
【００４７】
図５において、デジタル放送受信端末２００及び放送局サーバ３００では、大きく分けて「視聴判断処理」と、「視聴確認処理」と、「視聴登録処理」が実行される。
【００４８】
「視聴判断処理」において、デジタル放送受信端末２００は、ユーザにより選局されたデジタル放送番組を受信した際に、上記ＧＲＥＧに記憶されるフラグ情報の有無により当該番組に対する視聴情報が放送局サーバ３００に送信済みか未送信かを判別し、送信済みの場合は登録者用データ放送表示を行い、未送信の場合はＮＶＲＡＭ２０４に記憶される視聴ＩＤの有無により視聴者登録済みか未登録かを判別して、登録済みの場合は「視聴確認処理」に移行し、未登録の場合は「視聴登録処理」に移行する。
【００４９】
「視聴確認処理」において、デジタル放送受信端末２００は、視聴ＩＤを放送局サーバ３００に送信し、視聴情報送信済みを示すフラグ情報をＧＲＥＧに記憶して、登録者用データ放送画面を表示する。また、「視聴確認処理」において、放送局サーバ３００は、デジタル放送受信端末２００から視聴ＩＤを受信し、その視聴ＩＤ及び受信時刻と上記番組制御用データベース４０２とを比較して、視聴確認の失敗又は成功を判断して判断結果をデジタル放送受信端末２００に返送する。
【００５０】
「視聴登録処理」において、デジタル放送受信端末２００は、非登録者用データ放送画面を表示して、ユーザに視聴登録操作を促し、入力されるユーザ属性情報を放送局サーバ３００に送信し、放送局サーバ３００から返送される視聴ＩＤをＮＶＲＡＭ２０４に記憶する。また、「視聴登録処理」において、放送局サーバ３００は、デジタル放送受信端末２００からユーザ属性情報を受信すると、視聴ＩＤを発行して受信したユーザ属性情報と対応付けてデータベース装置４００内の上記視聴データベース４０１に登録すると共に、発行した視聴ＩＤをデジタル放送受信端末２００に返送する。
【００５１】
次に、上記「視聴登録処理」における詳細な処理について、図６及び図７を参照して説明する。図６は、デジタル放送受信端末２００において実行される視聴登録処理を示すフローチャートである。図７は、放送局サーバ３００において実行される視聴登録処理を示すフローチャートである。
【００５２】
デジタル放送受信端末２００は、入力部２０２からの指示により選択されたチャンネルのデジタル放送の受信を開始すると、視聴管理部２０９は、図６の視聴確認処理を開始する。図６において、視聴管理部２０９は、まず、非登録者用データ放送画面（視聴登録要求画面を含む）を表示部２０３に表示させ（ステップＳ１０１）、視聴登録要求画面において視聴登録申し込み指示が入力されたか否かを判別する（ステップＳ１０２）。視聴管理部２０９は、視聴登録申し込み指示が入力されなければ（ステップＳ１０２：ＮＯ）、ステップＳ１０１に戻り、視聴登録申し込み指示が入力された場合は（ステップＳ１０２：ＹＥＳ）、視聴者情報入力画面要求コマンドを通信部２０６から放送局サーバ３００に送信する（ステップＳ１０３）。
【００５３】
次いで、視聴管理部２０９は、放送局サーバ３００から視聴者情報入力画面を受信して（ステップＳ１０４）、その視聴者情報入力画面を表示部２０３に表示し（ステップＳ１０５）、視聴者情報（ユーザ属性）の入力と送信指示の有無を判別する（ステップＳ１０６）。送信指示がなければ（ステップＳ１０６：ＮＯ）、ステップＳ１０５に戻り、送信指示があれば（ステップＳ１０６：ＹＥＳ）、入力された視聴者情報（例えば、メールアドレス、氏名、性別、生年月日等を含むユーザ属性）を通信部２０６から放送局サーバ３００に送信する（ステップＳ１０７）。
【００５４】
次いで、視聴管理部２０９は、放送局サーバ３００から送信される視聴ＩＤの受信の有無を判別する（ステップＳ１０８）。視聴ＩＤを受信しなければ（ステップＳ１０８：ＮＯ）、ステップＳ１１３に移行してエラー処理、例えば、登録失敗等を表示部２０３に表示させて、ステップＳ１１２に移行する。また、視聴ＩＤを受信すれば（ステップＳ１０８：ＹＥＳ）、受信した視聴ＩＤをＮＶＲＡＭ２０４に登録する（ステップＳ１０９）。
【００５５】
次いで、視聴管理部２０９は、記憶部２０５内のＧＲＥＧを初期化し（ステップＳ１１０）、視聴登録完了を表示部２０３に表示し（ステップＳ１１１）、データ放送画面を表示部２０３に表示して（ステップＳ１１２）、本処理を終了する。
【００５６】
次に、放送局サーバ３００において実行される視聴登録処理について、図６に示すフローチャートを参照して説明する。
【００５７】
図６において、放送局サーバ３００内の視聴管理部３０８は、デジタル放送受信端末２００から送信される視聴者情報入力画面要求コマンドの受信有無を判別する（ステップＳ２０１）。視聴者情報入力画面要求コマンドを受信するまで待機し（ステップＳ２０１：ＮＯ）、視聴者情報入力画面要求コマンドを受信すると（ステップＳ２０１：ＹＥＳ）、視聴者情報入力画面を通信部３０６からデジタル放送受信端末２００に送信する（ステップＳ２０２）。
【００５８】
次いで、視聴管理部３０８は、デジタル放送受信端末２００から送信される視聴者情報（ユーザ属性）の受信有無を判別する（ステップＳ２０３）。視聴者情報（ユーザ属性）を受信するまで待機し（ステップＳ２０３：ＮＯ）、視聴者情報（ユーザ属性）を受信すると（ステップＳ２０３：ＹＥＳ）、受信した視聴者情報（ユーザ属性）をデータベース装置４００に転送して視聴データベース４０１に登録する（ステップＳ２０４）。
【００５９】
次いで、視聴管理部３０８は、番組ＩＤとユーザＩＤとからなる視聴ＩＤを発行し、この視聴ＩＤをデータベース装置４００に転送して視聴データベース４０１内の登録した視聴者情報に対応付けて登録するとともに、視聴ＩＤを通信部３０６からデジタル放送受信端末２００に送信して（ステップＳ２０５）、本処理を終了する。
【００６０】
以上の視聴登録処理により、デジタル放送受信端末２００内のＮＶＲＡＭ２０４には視聴ＩＤが登録され、データベース装置４００内の視聴データベース４０１には視聴ＩＤと共に視聴者情報（ユーザ属性）が登録されたことになる。その結果、図４（ａ）に示す視聴データベース４０１には、例えば、視聴ＩＤとして「番組ＩＤ：０００１」と「ユーザＩＤ：０００００００１」と「メールアドレス：ａａａ＠ａａａ．ａａ」と「属性情報１，２」が登録される。
【００６１】
次に、デジタル放送受信端末２００において実行される視聴判断処理について、図８に示すフローチャートを参照して説明する。
【００６２】
図８において、視聴管理部２０９は、ＢＭＬデータ放送の視聴が開始されると、記憶部２０５内のＧＲＥＧを参照して（ステップＳ３０１）、ＧＲＥＧ内に当該番組の視聴登録済みを示すフラグＢセットか、視聴未登録を示すフラグＡセットか、又はフラグなしかを確認する。
【００６３】
フラグＢがセットされている場合、すなわち、視聴中の番組に対する視聴ＩＤを放送局サーバ３００に送信済みである場合は、ステップＳ３０２に移行して、登録済み視聴者用データ放送画面（視聴登録を促す画面を非表示）を表示部２０３に表示して、本処理を終了する。
【００６４】
また、フラグＡがセットされている場合は、すなわち、視聴中の番組に対する視聴ＩＤを放送局サーバ３００に未送信である場合は、ステップＳ３０３に移行して、非登録視聴者用データ放送画面（視聴登録を促す画面を表示）を表示部２０３に表示して、視聴ＩＤの送信を促して、本処理を終了する。また、フラグがセットされていない場合は、ステップＳ３０４に移行する。
【００６５】
次いで、視聴管理部２０９は、フラグがセットされていない場合は、ステップＳ３０４において、ＮＶＲＡＭ２０４を参照して視聴ＩＤの登録有無を判別する。視聴ＩＤが登録されていなければ、ステップＳ３０５に移行し、記憶部２０５内のＧＲＥＧにフラグＡをセットし、ステップＳ３０３に移行する。
【００６６】
また、視聴ＩＤが登録されていれば、ステップＳ３０６に移行して、現在視聴しようとしているチャンネルの接続許可を確認する。接続不許可であれば、ステップＳ３０７に移行して、通信不許可者用データ放送画面を表示部２０３に表示して、本処理を終了する。また、接続許可であれば、ステップＳ３０８に移行して、通信部２０６から視聴ＩＤを放送局サーバ３００に送信して、本処理を終了する。この後、視聴管理部２０９は、視聴確認処理に移行する。
【００６７】
次に、図５の「視聴確認処理」における詳細な処理について、図９及び図１０を参照して説明する。図９は、放送局サーバ３００において実行される視聴確認処理を示すフローチャートである。図１０は、デジタル放送受信端末２００において実行される視聴確認処理を示すフローチャートである。
【００６８】
図９において、視聴管理部３０８は、デジタル放送受信端末２００から送信される視聴ＩＤ（番組ＩＤ及びユーザＩＤを含む）を受信すると（ステップＳ４０１）、その受信時刻が上記図番組制御用データベース４０２に設定された該当番組ＩＤの視聴確認受付開始日及び視聴確認受付開始時間に基づく受付時間内か受付時間外かを判断する（ステップＳ４０２）。時間外であれば、ステップＳ４０３に移行して、受付時間外であることを示すエラー返信Ａを通信部３０６からデジタル放送受信端末２００に送信して、本処理を終了する。
【００６９】
また、視聴管理部３０８は、時間内であれば、ステップＳ４０４に移行して、受信した視聴ＩＤに基づいて上記視聴データベース４０１を検索し、該当するユーザＩＤの登録有無を判断する。該当するユーザＩＤが登録されていなければ、ステップＳ４０５に移行して、登録されていないことを示すエラー返信Ｂを通信部３０６からデジタル放送受信端末２００に送信して、本処理を終了する。
【００７０】
また、視聴管理部３０８は、該当するユーザＩＤが登録されていれば、ステップＳ４０６に移行して、視聴データベース４０１内の該当ユーザＩＤに対応する視聴フラグを「１」にセットする。次いで、視聴管理部３０８は、視聴登録が成功したことを示す成功情報を通信部３０６からデジタル放送受信端末２００に送信して（ステップＳ４０７）、本処理を終了する。
【００７１】
なお、この視聴確認処理において、放送局サーバ３００は、視聴フラグをセットした後、該当ユーザＩＤの「連続試聴回数」と「視聴総回数」を「＋１」それぞれインクリメントする。
【００７２】
次に、デジタル放送受信端末２００において実行される視聴確認処理について、図１０に示すフローチャートを参照して説明する。
【００７３】
図１０において、視聴管理部２０９は、視聴中の番組に対する視聴ＩＤを通信部２０６から放送局サーバ３００に送信する（ステップＳ５０１）。次いで、視聴管理部２０９は、上記視聴ＩＤの送信により、放送局サーバ３００から返信されるエラー返信Ａの受信有無を判断する（ステップＳ５０２）。エラー返信Ａを受信すれば（ステップＳ５０２：ＹＥＳ）、ステップＳ５０３に移行して、記憶部２０５内のＧＲＥＧに上記視聴未登録を示すフラグＡをセットし、ステップＳ５０４に移行して、視聴受付時間外メッセージを表示部２０３に表示して、本処理を終了する。
【００７４】
また、視聴管理部２０９は、エラー返信Ａを受信しなければ（ステップＳ５０２：ＮＯ）、ステップＳ５０５に移行して、エラー返信Ｂの受信有無を判断する。エラー返信Ｂを受信すれば（ステップＳ５０５：ＹＥＳ）、ステップＳ５０６に移行して、記憶部２０５内のＧＲＥＧに上記視聴未登録を示すフラグＡをセットする。次いで、視聴管理部２０９は、ＮＶＲＡＭ２０４内の視聴ＩＤを消去し（ステップＳ５０７）、非登録視聴者用データ放送画面（視聴登録を促す画面を表示）を表示部２０３に表示して（ステップＳ５０８）、本処理を終了する。
【００７５】
また、視聴管理部２０９は、エラー返信Ｂを受信しなければ（ステップＳ５０５：ＮＯ）、ステップＳ５０９に移行して、成功情報の受信有無を判断する。成功情報を受信すれば（ステップＳ５０９：ＹＥＳ）、ステップＳ５１０に移行して、記憶部２０５内のＧＲＥＧに上記番組の視聴登録済みを示すフラグＢをセットする。次いで、視聴管理部２０９は、登録済み視聴者用データ放送画面（視聴登録を促す画面を非表示）を表示部２０３に表示して（ステップＳ５１１）、本処理を終了する。また、視聴管理部２０９は、成功情報を受信しなければ（ステップＳ５０９：ＮＯ）、本処理を終了する。
【００７６】
次に、放送局サーバ３００において、上記視聴データベース４０１内の登録情報に基づいて、登録済みのユーザにメーリングリストサービスを提供する場合の処理について、図１１〜図１４を参照して説明する。図１１はＭＬ生成部３０２の処理を示すフローチャート、図１２はＭＬサービス部３０３の処理を示すフローチャート、図１３はＭＬ終了部３０５の処理を示すフローチャート、図１４はメーリングリストデータベースを示す図である。
【００７７】
まず、ＭＬ生成部３０２の処理について、図１１に示すフローチャートを参照して説明する。
【００７８】
図１１において、ＭＬ生成部３０２は、視聴データベース４０１内の番組毎に視聴フラグ「１」を集計し（ステップＳ６０１）、集計対象の属性情報１，２を条件に各ユーザをグループに振り分ける（ステップＳ６０２）。次いで、ＭＬ生成部３０２は、番組毎に振り分けたグループによりＭＬグループを作成して、図１４（ａ）に示すメーリングリストデータベース５０１としてデータベース装置４００内に登録し（ステップＳ６０３）、その作成したＭＬグループ毎に広告を設定する（ステップＳ６０４）。
【００７９】
次いで、ＭＬ生成部３０２は、ＭＬグループ毎にメーリングリストを作成して、図１４（ａ）に示すメーリングリストデータベース５０１と、同図（ｂ）に示すメーリングリストグループデータベース５０２としてデータベース装置４００内に登録して（ステップＳ６０５）、本処理を終了する。
【００８０】
ここで、図１４（ａ）に示すメーリングリストデータベース５０１について説明する。メーリングリストデータベース５０１では、「番組ＩＤ」と、番組毎に作成するＭＬ毎に付与されるユニークＩＤを示す「メーリングリストＩＤ」と、ＭＬ作成日時を示す「ＭＬ作成日」及び「ＭＬ作成時間」と、ＭＬ終了日時を示す「ＭＬ終了日」及び「ＭＬ終了時間」と、ＭＬ終了告知メールの送信時間を示す「ＭＬ終了告知発送時間」と、が対応付けて記憶される。このデータベース５０１から、本実施の形態では、ＭＬグループ毎に存続期間が設定されていることが分かる。
【００８１】
また、メーリングリストグループデータベース５０２では、「番組ＩＤ」と、「メーリングリストＩＤ」と、広告設定用のユーザ属性（例えば、２０代女性、６０代男性等）を示す「グループ属性ＩＤ」と、「グループＩＤ」と、「（ユーザ１）ＩＤ」と、ユーザ１の脱退日時を示す「脱退１」と、「（ユーザ２）ＩＤ」と、ユーザ２の脱退日時を示す「脱退２」と、「（ユーザ３）ＩＤ」と、以下、同様のユーザ情報と、が対応付けて記憶される。
【００８２】
次に、ＭＬサービス部３０３の処理について、図１２に示すフローチャートを参照して説明する。
【００８３】
図１２において、ＭＬサービス部３０３は、上記ＭＬ生成部３０２によるＭＬグループの作成によりメーリングリストグループデータベース５０２が登録されたことを受けて、各ＭＬグループに属する各ユーザのメールアドレスを視聴データベース４０１から取得して、ＭＬ作成告知メールを各ユーザに送信する（ステップＳ７０１）。
【００８４】
このＭＬ作成告知メールを通信により受信したユーザのデジタル放送受信端末２００では、メーリングリストの「メール返信」や「ＭＬ脱退」等の操作ボタン等が設定されたメーリングリストのメール閲覧画面が表示部２０３に表示される。このメール閲覧画面において、ユーザは所望の操作を行うと、その操作コマンドが通信部２０６から通信により放送局サーバ３００に送信される。
【００８５】
次いで、ＭＬサービス部３０３は、デジタル放送受信端末２００から通信により送信される操作コマンドが「ＭＬ返信」か「ＭＬ脱退」を判別する（ステップＳ７０２）。「ＭＬ返信」であれば、ステップＳ７０３に移行して、メーリングリストデータベース５０１内の該当するメーリングリストの有効期限（ＭＬ終了日時参照）を判別する。ＭＬサービス部３０３は、有効期限内であれば（ステップＳ７０３：ＯＫ）、ステップＳ７０４に移行して、返信先ユーザが登録メンバーか否かをメーリングリストグループデータベース５０２を参照して判別する。
【００８６】
ＭＬサービス部３０３は、返信先ユーザが登録メンバーであれば（ステップＳ７０４：ＹＥＳ）、受信した返信メールをワードフィルタ（図示省略）で分析し、誹謗中傷メール等の送信に適さないメールを判別する（ステップＳ７０５）。送信に適したメールであれば（ステップＳ７０５：ＯＫ）、メンバー間のメール送信処理を実行して（ステップＳ７０６）、ステップＳ７０２に戻る。
【００８７】
また、ＭＬサービス部３０３は、メーリングリストが有効期限外である場合（ステップＳ７０３：ＮＧ）、返信先ユーザが登録メンバーでない場合（ステップＳ７０４：ＮＯ）、送信に適さないメールである場合（ステップＳ７０５：ＮＧ）、ステップＳ７０７に移行し、エラー返信をデジタル放送受信端末２００に送信して、ステップＳ７０２に戻る。
【００８８】
また、ＭＬサービス部３０３は、ステップＳ７０２において受信した操作コマンドが「ＭＬ脱退」である場合は、ステップＳ７０８に移行してＭＬ脱退を再確認する。
【００８９】
そして、再度「ＭＬ脱退」操作コマンドを受信した場合は（ステップＳ７０７：ＹＥＳ）、ステップＳ７０８に移行して該当ユーザのＭＬ脱退処理を行い、その脱退日時をメーリングリストグループデータベース５０２に記憶して、ステップＳ７０２に戻る。また、再度「ＭＬ脱退」操作コマンドを受信しない場合は（ステップＳ７０７：ＮＯ）、ステップＳ７０２に戻る。
【００９０】
次に、ＭＬ終了部３０４の処理について、図１３に示すフローチャートを参照して説明する。
【００９１】
ＭＬ終了部３０４は、メーリングリストデータベース５０１内のＭＬ終了日時に基づいて、終了すべきＭＬが発生した場合に図１３に示す処理を開始する。
【００９２】
図１３において、ＭＬ終了部３０４は、終了となったＭＬに属する各ユーザのメールアドレスを視聴データベース４０１から取得し、ＭＬ終了告知メールを各ユーザに送信し、そのＭＬ終了告知送信時間をメーリングリストデータベース５０１に記憶する（ステップＳ８０１）。次いで、ＭＬ終了部３０４は、終了するＭＬグループをメーリングリストグループデータベース５０２から削除して（ステップＳ８０２）、本処理を終了する。
【００９３】
次に、くじ抽選部３０５において実行されるくじ抽選処理について、図１５に示すフローチャート及び図１６に示すくじ制御データベースを参照して説明する。
【００９４】
図１５において、くじ抽選部３０５は、視聴データベース４０１内の視聴フラグ「１」を集計し（ステップＳ９０１）、その集計データから図１６に示すくじ制御データベース６０１に基づいてくじ抽選を行って、当選者と非当選者を決定する（ステップＳ９０２）。図１６のくじ制御データベース６０１では、番組ＩＤ毎に「くじ抽選日」と、「くじ抽選時間」と、「当選数」と、「（当選金額）」と、が対応付けて記憶されている。この場合、当選数及び当選金額は、図示の数値に限らず任意に設定可能である。
【００９５】
次いで、くじ抽選部３０５は、当選者に対しては、ステップＳ９０３に移行し、当選者の属性情報を視聴データベース４０１から抽出する。次いで、くじ抽選部３０５は、抽出した属性情報をメール振込システムに接続して、各当選者に対してくじ当選告知メールを送信して（ステップＳ９０４）、本処理を終了する。
【００９６】
また、くじ抽選部３０５は、非当選者に対しては、ステップＳ９０５に移行し、非当選者の属性情報を視聴データベース４０１から参照する。その参照した属性情報により非当選者に広告を非当選告知メールに設定し（ステップＳ９０６）、その広告を設定した非当選告知メールを非当選者に送信して（ステップＳ９０７）、本処理を終了する。
【００９７】
以上のように、本実施の形態のデジタル放送システムでは、ＢＭＬデータ放送を受信するデジタル放送受信端末が番組視聴に際して放送局サーバに視聴ＩＤを送信することにより視聴データベースに登録可能とし、放送局サーバは受信する視聴ＩＤに基づいてデジタル放送受信端末における番組毎の視聴履歴を視聴データベースにより管理可能とした。そして、放送局サーバでは、視聴データベースに登録される番組毎の各ユーザの視聴履歴に基づいて、メーリングリストやくじ抽選等のサービスをデジタル放送受信端末に提供するようにした。
【００９８】
したがって、放送局サーバの視聴データベースには、番組ＩＤとユーザＩＤとからなる視聴データベースが構築されるため、この視聴データベースに登録されたユーザに対して番組ＩＤに基づいたスポンサーの広告情報を電子メール等で配信することが可能となり、番組のスポンサー効果を高めることができる。
【００９９】
また、視聴フラグを次回の放送時に再設定することにより、次回の放送を視聴しなかった視聴者は次回の放送後にメーリングリストから除外されてしまうため、視聴者に対して「次回放送を見なければ」という視聴動機付けを誘引することができる。さらにまた、視聴者に対して視聴後の娯楽を提供することができる。
【産業上の利用可能性】
【０１００】
本発明は、デジタル放送におけるユーザの視聴登録によって構築されるデータベースの情報を利用して、ユーザの次の視聴を誘引することを可能にし、１セグ放送をはじめＢＭＬ規格に基づくデジタルデータ放送に利用できる。
【図面の簡単な説明】
【０１０１】
【図１】本発明の一実施の形態に係るデジタル放送システムの全体構成を示すブロック図
【図２】本実施の形態に係るデジタル放送受信端末の構成を示すブロック図
【図３】本実施の形態に係る放送局サーバの構成を示すブロック図
【図４】本実施の形態に係るデータベース装置に記憶される（ａ）は視聴データベースの構成を示す図、（ｂ）は番組制御用データベースの構成を示す図
【図５】本実施の形態に係るデジタル放送システムの動作概要を示す図
【図６】本実施の形態に係るデジタル放送受信端末において実行される視聴登録処理を示すフローチャート
【図７】本実施の形態に係る放送局サーバにおいて実行される視聴登録処理を示すフローチャート
【図８】本実施の形態に係るデジタル放送受信端末において実行される視聴判断処理を示すフローチャート
【図９】本実施の形態に係るデジタル放送受信端末において実行される視聴判断処理を示すフローチャート
【図１０】本実施の形態に係る放送局サーバにおいて実行される視聴確認処理を示すフローチャート
【図１１】本実施の形態に係るＭＬ生成部において実行される処理を示すフローチャート
【図１２】本実施の形態に係るＭＬサービス部において実行される処理を示すフローチャート
【図１３】本実施の形態に係るＭＬ終了部において実行される処理を示すフローチャート
【図１４】本実施の形態に係る（ａ）はメーリングリストデータベースの構成を示す図、（ｂ）はメーリングリストグループデータベースの構成を示す図
【図１５】本実施の形態に係るくじ抽選部において実行される処理を示すフローチャート
【図１６】本実施の形態に係るくじ制御データベースの構成を示す図
【符号の説明】
【０１０２】
１０  デジタル放送システム
１００  テレビ局
２００  デジタル放送受信端末
２０１、３０１  制御部
２０２  入力部
２０３  表示部
２０４  ＮＶＲＡＭ
２０５、３０９  記憶部
２０６、３０６  ＩＰ通信部
２０７  デジタル放送受信部
２０８  コンテンツ再生部
２１０、３１０  バス
３００  放送局サーバ
３０２  ＭＬ生成部
３０３  ＭＬサービス部
３０４  ＭＬ終了部
３０５  くじ抽選部
３０７  ＤＢＩ／Ｆ部
３０８  視聴管理部
４００  データベース装置
４０１  視聴データベース
４０２  番組制御データベース
５０１  メーリングリストデータベース
５０２  メーリングリストグループデータベース
６０１  くじ制御データベース
【図１】
2007281736.tif 000003
【図２】
2007281736.tif 000004
【図３】
2007281736.tif 000005
【図４】
2007281736.tif 000006
【図５】
2007281736.tif 000007
【図６】
2007281736.tif 000008
【図７】
2007281736.tif 000009
【図８】
2007281736.tif 000010
【図９】
2007281736.tif 000011
【図１０】
2007281736.tif 000012
【図１１】
2007281736.tif 000013
【図１２】
2007281736.tif 000014
【図１３】
2007281736.tif 000015
【図１４】
2007281736.tif 000016
【図１５】
2007281736.tif 000017
【図１６】
2007281736.tif 000018